(57)【要約】【課題】本発明は、従来に比べて部品数を減らし様々な機能を付加した車両用キャリア装置を開示する。【解決手段】２台の車両用キャリアＣ１、Ｃ２各々の貨物マウント４０を直角に横切って各々の貨物マウント４０の下部に結合され、両側面バー５２が貨物マウント４０より上方に突出しており、側面バー５２に直角の両横バー５４に緩衝材５６が嵌められた四角フレーム形状の横支持手段５０、２台の車両用キャリアＣ１、Ｃ２各々の垂直サポート２０同士及び水平サポート３０同士を横に連結する２個の補強材２５、及び２台の車両用キャリアＣ１、Ｃ２各々の貨物マウント４０の下面に設けられ、固定ストラップ４３を嵌めるループ４２を含み、各々のループ４２を通して設けられた固定ストラップ４３を車体の適切な位置に固定することができる。【選択図】図１
2019043380.tif 000002
【特許請求の範囲】
【請求項１】
車両のトランク裏面に支持される垂直サポート、前記垂直サポートと固定された角度をなすように連結され、車両のトランク上面に支持される水平サポート、前記垂直サポートや水平サポートに回転可能に連結され、全体的にＵ形状をなし、貨物を支えるための貨物マウント、及び前記垂直サポートや水平サポートに回転可能に連結され、貨物マウントに対して直角に固定されて貨物を支える貨物スタンドを各々備えた２台の車両用キャリアを並んで配置して結合した車両用キャリア装置であって、
２台の車両用キャリア各々の貨物マウントを直角に横切って各々の貨物マウントの下部に結合され、両側面バーが貨物マウントより上方に突出しており、側面バーに直角の両横バーに緩衝材が嵌められた四角フレーム形状の横支持手段、
２台の車両用キャリア各々の垂直サポート同士及び水平サポート同士を横に連結する２個の補強材、及び
２台の車両用キャリア各々の貨物マウントの下面に設けられて固定ストラップを嵌めるループを含み、
２台の車両用キャリア各々の貨物マウントに前記貨物スタンドと間隔をおいて同一構造の第２貨物スタンドが回転可能に設けられ、
各々のループを通して設けられた固定ストラップを車両ドアの枠組みを含む車体に固定して引き締めることを特徴とする車両用キャリア装置。
【請求項２】
前記貨物スタンドと第２貨物スタンドの間の位置で各々の貨物マウントに逆Ｌ形状の固定手段が回転可能に設けられ、該固定手段の端部にクランプが設けられ、前記クランプが自転車のフレームやスキーやボードの一側面を噛み合わせて固定することを特徴とする、請求項１に記載の車両用キャリア装置。
【請求項３】
前記キャリア各々の貨物スタンドの回転連結部の位置で各々の貨物マウントを直角に横切って両貨物マウントに結合され、貨物スタンドが直立した状態でこれ以上の回転を防止するストッパーの役割をし、自転車を載置した時に自転車のハンドルを支える直線型ハンドル横バーをさらに含み、前記ハンドル横バーに自転車のハンドルを結合するための複数のハンドル固定手段が設けられることを特徴とする、請求項１に記載の車両用キャリア装置。
【請求項４】
２台の車両用キャリア各々の貨物マウントの一端部の位置に横に設けられる直線型横バーをさらに含み、前記横バーの両側に衝撃吸収材からなる円形ホイールが回転可能に設けられ、前記両ホイールの間で前記横バーに衝撃吸収材からなる２個の緩衝材が回転可能に設けられ、各々の緩衝材は、一端部は凹凸面であり、凹凸面の反対側には吸着器が設けられ、低荷重を支持する時には緩衝材の凹凸面が車両のルーフに向かい、重い荷重を支持する時には吸着器が車両のルーフに向かって車両のルーフに吸着されることを特徴とする、請求項１〜３のいずれか１項に記載の車両用キャリア装置。
【請求項５】
前記横バーの両ホイール外側の両端部に糸巻き形状のガイドワッシャーが設けられ、前記ガイドワッシャーに対応する位置に車両のルーフに固定され、ガイドワッシャーと着脱結合するループ形状のルーフレールが車両のルーフの両側に設けられ、キャリア装置が設置された状態で車両トランクを開くと、貨物マウントが車両の前側に前進してガイドワッシャーがルーフレールから分離し、ホイールが車両のルーフに乗って転がり運動をし、トランクを閉じると、貨物マウントが後進してガイドワッシャーがルーフレールのループ部分に噛み合わされてキャリア装置が車両に固定されることを特徴とする、請求項４に記載の車両用キャリア装置。
【請求項６】
前記横支持手段の横バーの一端部または両端部にＵ形状のスキー／ボードマウントが設けられ、スキーやボードの下縁部をスキー／ボードマウントの溝に嵌め、スキーやボードの上縁部を前記支持手段のクランプで固定することを特徴とする、請求項２に記載の車両用キャリア装置。
【請求項７】
前記横バーに流線型ブレード形状のフラップを設けて車両走行中に空気抵抗を減らすことを特徴とする、請求項４に記載の車両用キャリア装置。
【発明の詳細な説明】
【技術分野】
【０００１】
本発明は、車両用キャリア装置に関し、具体的には、従来に比べて、部品数を減らし、様々な機能を付加した車両用キャリア装置に関する。
【背景技術】
【０００２】
最近、自転車やスノーボードやスキーや重い貨物を車両の外部に載せて運ぶための車両用キャリアが多く開発されている。しかし、従来のキャリアは複雑な装置を利用して車両に脱付着しなければならないため、利用者がキャリアを設置し分離する時に多くの時間が必要となり、その過程が複雑であるという問題がある。
【発明の概要】
【発明が解決しようとする課題】
【０００３】
本発明は、従来のこのような問題点を考慮して導き出されたものであり、別途の固定装置がなくても車両のトランクを開け閉めする動作によってキャリアを車両に簡単に固定し分離することができ、車両の急停車、急発進、衝撃、高速走行等がある時にもキャリアを揺れることなく安定するように固定することは勿論、様々な付加機能を備え、且つ、部品数を減らした車両用キャリア装置を提供することを主な目的とする。
【課題を解決するための手段】
【０００４】
このような目的を達成するために、本発明は、車両のトランク裏面に支持される垂直サポート２０、前記垂直サポート２０と固定された角度をなすように連結され、車両のトランク上面に支持される水平サポート３０、前記垂直サポートや水平サポートに回転可能に連結され、全体的にＵ形状をなし、貨物を支えるための貨物マウント４０、及び前記垂直サポートや水平サポートに回転可能に連結され、貨物マウント４０に対して直角に固定されて貨物を支える貨物スタンド９２を各々備えた２台の車両用キャリアＣ１、Ｃ２を並んで配置して結合した車両用キャリア装置において、
【０００５】
２台の車両用キャリアＣ１、Ｃ２各々の貨物マウント４０を直角に横切って各々の貨物マウント４０の下部に結合され、両側面バー５２が貨物マウント４０より上方に突出しており、側面バー５２に直角の両横バー５４に緩衝材５６が嵌められた四角フレーム形状の横支持手段５０、
【０００６】
２台の車両用キャリアＣ１、Ｃ２各々の垂直サポート２０同士及び水平サポート３０同士を横に連結する２個の補強材２５、及び
【０００７】
２台の車両用キャリアＣ１、Ｃ２各々の貨物マウント４０の下面に設けられて固定ストラップ４３を嵌めるループ４２を含み、
【０００８】
各々のループ４２を通して設けられた固定ストラップ４３を車体の適切な位置、例えば、車両ドアの枠組みに固定して引き締めることを特徴とする車両用キャリア装置を提供する。
【０００９】
本発明によれば、２台の車両用キャリアＣ１、Ｃ２各々の貨物マウント４０に前記貨物スタンド９２と間隔をおいて同一構造の第２貨物スタンド９４が回転可能に設けられてもよい。この場合、貨物スタンド９２と第２貨物スタンド９４の間の位置で各々の貨物マウント４０に逆Ｌ形状の固定手段７０が回転可能に設けられ、該固定手段７０の端部にクランプ７２が設けられ、前記クランプが自転車のフレームやスキーやボードの一側面を噛み合わせて固定するようにすることが好ましい。
【００１０】
また、キャリアＣ１、Ｃ２各々の貨物スタンド９２の回転連結部の位置で各々の貨物マウント４０を直角に横切って両貨物マウント４０に結合され、貨物スタンド９２が直立した状態でこれ以上の回転を防止するストッパーの役割をし、自転車を載置した時に自転車のハンドルを支える直線型ハンドル横バー６０をさらに含み、前記ハンドル横バー６０に自転車のハンドルを結合するための複数のハンドル固定手段６２が設けられてもよい。
【００１１】
なお、このように構成された本発明のキャリア装置が２台の車両用キャリアＣ１、Ｃ２各々の貨物マウント４０の一端部の位置に横に設けられる直線型横バー８０をさらに含み、横バー８０の両側に衝撃吸収材からなる円形ホイール８２が回転可能に設けられ、両ホイール８２の間で前記横バー８０に衝撃吸収材からなる２個の緩衝材８４が回転可能に設けられ、各々の緩衝材８４は、一端部は凹凸面であり、凹凸面の反対側には吸着器８６が設けられ、低荷重を支持する時には緩衝材８４の凹凸面が車両のルーフに向かい、重い荷重を支持する時には吸着器８６が車両のルーフに向かって車両のルーフに吸着されるようにしてもよい。この場合、横バーの両ホイール８２外側の両端部に糸巻き形状のガイドワッシャー９０が設けられ、ガイドワッシャー９０に対応する位置に車両のルーフに固定され、ガイドワッシャー９０と着脱結合するループ形状のルーフレール１００が車両のルーフの両側に設けられ、キャリア装置が設置された状態で車両トランクを開くと、貨物マウント４０が車両の前側に前進してガイドワッシャー９０がルーフレール１００から分離し、ホイール８２が車両のルーフに乗って転がり運動をし、トランクを閉じると、貨物マウント４０が後進してガイドワッシャー９０がルーフレール１００のループ部分に噛み合わされてキャリア装置が車両に固定されるようにすることが好ましい。
【００１２】
また、横支持手段５０の横バー５４の一端部または両端部にＵ形状のスキー／ボードマウント７４が設けられ、スキーやボードの下縁部をスキー／ボードマウント７４の溝に嵌め、スキーやボードの上縁部を前記支持手段７０のクランプ７２で固定してもよい。
【００１３】
なお、横バー８０に流線型のブレード形状のフラップ１１０を設けて車両走行中に空気抵抗を減らしてもよい。
【発明の効果】
【００１４】
このように構成された本発明の車両用キャリア装置によれば、いかなる悪条件下にも、例えば、急加減速、スピード防止帯を通過する時の衝撃、車両外部の風等の影響にも複雑な装置なしでキャリアを揺れることなく安定するように固定することができる。
【００１５】
また、様々な方式でキャリア固定装置を構成することができるため、使用者が望むいかなる方式にも車両用キャリアを実現することができる。
【図面の簡単な説明】
【００１６】
【図１】本発明のキャリア装置の一例を車両のトランクに固定した状態を示す後方斜視図である。
【図２】本発明の車両用キャリア装置の第１実施形態の分解斜視図と組み立てられた状態の斜視図である。
【図３】固定ストラップの設置例を示す部分拡大斜視図である。
【図４】第２貨物スタンドを追加した時の応用例を示す斜視図である。
【図５】横バー８０を詳しく示す図であって、図５Ａは横バー８０の拡大斜視図、５Ｂは低荷重支持状態の側面図、５Ｃは中／高荷重支持状態の側面図である。
【図６】本発明の他の実施形態であって、６Ａは組み立て状態の斜視図、６Ｂは横バー８０の拡大斜視図、６Ｃはルーフレールとの着脱結合状態を示す拡大斜視図である。
【図７】本発明のキャリア装置にスキーやボードを設置した状態を示す斜視図である。
【図８】ボードＢを固定する他例を示す斜視図である。
【図９】図９Ａは流線型フラップが設けられた状態の斜視図、図９Ｂは重力方向に揚力を引き起こす原理を示す側面図である。
【発明を実施するための形態】
【００１７】
図１は、本発明のキャリア装置の一例を車両のトランクに固定し、自転車を逆さまに固定した状態を示す後方斜視図である。図示したように、キャリア装置をトランクに設置し、トランクの開閉によってキャリア装置も動くため、自動車のサンルーフを遮らず、サンルーフの作動に影響を与えない。
【００１８】
図２は、本発明の車両用キャリア装置の第１実施形態の分解斜視図と組み立てられた状態の斜視図である。
本実施形態のキャリア装置は２台のキャリアＣ１、Ｃ２を並んで配置して結合した構造である。
【００１９】
キャリアＣ１、Ｃ２の各々は、車両のトランク裏面に支持される垂直サポート２０、垂直サポート２０と固定された角度をなすように連結され、車両のトランク上面に支持される水平サポート３０、垂直サポートや水平サポートに回転可能に連結され、全体的にＵ形状をなし、貨物を支えるための貨物マウント４０、及び垂直サポートや水平サポートに回転可能に連結され、貨物マウント４０に対して直角に固定されて貨物を支える貨物スタンド９２を各々備えている。
【００２０】
図２の実施形態では、２台の車両用キャリアＣ１、Ｃ２各々の貨物マウント４０を直角に横切って各々の貨物マウント４０の下部に横支持手段５０が結合される。このような結合はボルトやネジ等の締結具による。横支持手段５０は全体的に長方形の四角フレームの形態であり、四角フレームの両側面バー５２は貨物マウント４０より上方に突出しており、側面バー５２に直角の両横バー５４に緩衝材５６が嵌められている。上方に突出した両側面バー５２はキャリア装置に積載された貨物が両側面にぬけないように支持する役割をする。また、緩衝材５６はできるだけ横バー５４のエッジに位置した方が良い。このような緩衝材は車両に設置された状態のキャリア装置に載せられた貨物の損傷を防止する役割をする。
【００２１】
また、２台の車両用キャリアＣ１、Ｃ２各々の垂直サポート２０同士及び水平サポート３０同士を２個の補強材２５が横に連結することが好ましい。
【００２２】
なお、２台の車両用キャリアＣ１、Ｃ２各々の貨物マウント４０の下面に一つまたは複数のループ４２を形成し、このループに固定ストラップ４３を連結するかまたは嵌めることができるようにした方が良い。この場合、図３に示すように、各々のループ４２を通して設けられた固定ストラップ４３を車体の適切な位置、例えば、車両ドアの枠組みに固定して引き締めることができるため、キャリア装置を車両に確実で且つ容易に動かないように固定することができる。
【００２３】
勿論、図２に示すように、必要に応じてキャリア装置の他の種々の部分に固定ストラップ４３を連結して車両ドアの枠組みやトランクの隙間に固定することもできる。
【００２４】
必要な場合、２台の車両用キャリアＣ１、Ｃ２各々の貨物マウント４０に貨物スタンド９２と間隔をおいて同一構造の第２貨物スタンド９４を回転可能に設けることができる。
【００２５】
図４は、第２貨物スタンド９４を追加した時の応用例を示す斜視図である。図示したように、貨物スタンド９２と第２貨物スタンド９４を互いに広げられるようにした後、両貨物スタンドに自転車の前輪と後輪を嵌め、後述する固定手段７０のクランプ７２で自転車のフレームを固定すれば、安全に自転車をキャリア装置に設置することができる。
【００２６】
また、貨物スタンド９２と第２貨物スタンド９４の間の位置で各々の貨物マウント４０に逆Ｌ形状の固定手段７０を回転可能に設け、この固定手段７０の端部にクランプ７２を設ける。この場合、図４のように、クランプ７２を用いて自転車を固定するか、後述するようにクランプ７２でスキーやボードの一側面を噛み合わせて固定することができるので便利である。貨物を積載しない時には固定手段７０を横にすれば良い（図１参照）。
【００２７】
図２に示すように、キャリアＣ１、Ｃ２各々の貨物スタンド９２の回転連結部の位置で各々の貨物マウント４０を直角に横切って両貨物マウント４０に直線型ハンドル横バー６０を結合することができる。ハンドル横バー６０は貨物スタンド９２が直立した状態でこれ以上の回転を防止するストッパーの役割をし、自転車を逆さまにした時に自転車のハンドルを支える役割をする。ハンドル横バー６０に自転車のハンドルを結合するための複数のハンドル固定手段６２を設ければ、固定手段６２によって自転車のハンドル部分をしっかり引き締めることができる。
【００２８】
また、２台の車両用キャリアＣ１、Ｃ２各々の貨物マウント４０の一端部の位置に直線型横バー８０を横に設けることができる。
【００２９】
図５は横バー８０を詳しく示す図であって、図５Ａは横バー８０の拡大斜視図、５Ｂは低荷重支持状態の側面図、５Ｃは中／高荷重支持状態の側面図である。
【００３０】
横バー８０の両側に衝撃吸収材からなる円形ホイール８２が回転可能に設けられ、両ホイール８２の間で前記横バー８０に衝撃吸収材からなる２個の緩衝材８４が回転可能に設けられ、各々の緩衝材８４は、一端部は凹凸面であり、凹凸面の反対側には吸着器８６が設けられる。図５Ｂのように、キャリア装置が軽い物を載せている場合、緩衝材８４の凹凸面が車両のルーフに向かうようにする。この場合、物の重さが軽くて緩衝材８４とホイール８２が全て車両のルーフから離れている。図５Ｃのように、キャリア装置が重い物を載せている場合、緩衝材８４を１８０度回転して吸着器８６が車両のルーフに向かうようにすれば、吸着器８４が車両のルーフに吸着され、物をさらに安定して揺れることなく支持することができる。
【００３１】
図６は本発明の他の実施形態であって、６Ａは組み立て状態の斜視図、６Ｂは横バー８０の拡大斜視図、６Ｃはルーフレールとの着脱結合状態を示す拡大斜視図である。
【００３２】
本実施形態では、横バーの両ホイール８２外側の両端部に糸巻き形状のガイドワッシャー９０を設け、ガイドワッシャー９０に対応する位置に車両のルーフに固定され、ガイドワッシャー９０と着脱結合するループ形状のルーフレール１００が車両のルーフの両側に設けられる。この場合、図１のようにキャリア装置が設置された状態で車両トランクを開くと、図６Ｃに実線で表示されたように貨物マウント４０が車両の前側に前進してガイドワッシャー９０がルーフレール１００から分離し、ホイール８２が車両のルーフに乗って転がり運動をする。トランクを閉じると、図６Ｃで破断線で表示されたように、貨物マウント４０が後進してガイドワッシャー９０がルーフレール１００のループ部分に噛み合わされてキャリア装置が車両にしっかり固定される。
【００３３】
図７は、本発明のキャリア装置にスキーやボードを設置した状態を示す斜視図である。前述した前後貨物スタンド９２、９４の外側にボードＢを横に立てて緩衝材５６上に支え、貨物スタンド９２、９４にストラップで固定すれば、簡単にボードＢを設置することができる。
【００３４】
図８は、ボードＢを固定する他例を示す斜視図である。横支持手段５０の横バー５４の一端部または両端部にＵ形状のスキー／ボードマウント７４を設けることができる。この場合、スキーやボードＢの下縁部をスキー／ボードマウント７４の溝に嵌め、スキーやボードの上縁部を支持手段７０のクランプ７２で固定すれば、スキーやボードをさらに簡単に固定することができる。
【００３５】
自動車が高速走行する時、本発明のキャリア装置は多くの空気抵抗を引き起こし、この場合に振動と騒音が発生しうる。これを防止するために、本発明は、空気力学的な流線型抵抗減少手段を用いる。図９はこのような実施形態を示す図であって、図９Ａは流線型抵抗減少手段が設けられた状態の斜視図であり、図９Ｂは抵抗減少手段のみを示す側面図である。
【００３６】
図９に示すように、横バー８０に空気抵抗減少手段として流線型のブレード形状のフラップ１１０を設ける。すなわち、吸着器８６が車両のルーフに吸着された状態で自動車が走行すれば、矢印（Ｄ）方向にフラップ１１０の流線型表面に沿って空気が移動して矢印（Ｐ）方向に下向き圧力が作用するようになり、本発明のキャリア装置に作用する空気抵抗を減らし、且つ、貨物をさらに安全に運ぶことができる。
【図１】
2019043380.tif 000003
【図２】
2019043380.tif 000004
【図３】
2019043380.tif 000005
【図４】
2019043380.tif 000006
【図５】
2019043380.tif 000007
【図６】
2019043380.tif 000008
【図７】
2019043380.tif 000009
【図８】
2019043380.tif 000010
【図９】
2019043380.tif 000011
【手続補正書】
【提出日】平成30年10月22日(2018.10.22)
【手続補正１】
【補正対象書類名】特許請求の範囲
【補正対象項目名】全文
【補正方法】変更
【補正の内容】
【特許請求の範囲】
【請求項１】
２台の車両用キャリア（Ｃ１，Ｃ２）を間隔をあけて並べて配置して結合した車両用キャリア装置であって、
各前記車両用キャリア（Ｃ１，Ｃ２）は、
車両のトランク裏面に支持される垂直サポート（２０）、
前記垂直サポート（２０）と固定された角度をなすように連結され、車両のトランク上面に支持される水平サポート（３０）、
前記垂直サポート（２０）または前記水平サポート（３０）に回転可能に連結され、Ｕ形状を有し、貨物を支えるための貨物マウント（４０）、及び、
前記垂直サポート（２０）または前記水平サポート（３０）に回転可能に連結され、前記貨物マウント（４０）に対して直角となる位置で固定可能である、貨物を支えるための貨物スタンド（９２）を備え、
前記車両用キャリア装置は、
２台の車両用キャリア（Ｃ１，Ｃ２）各々の貨物マウント（４０）を直角に横切って各々の貨物マウント（４０）の下部に結合され、両側面バー（５２）が貨物マウント（４０）より上方に突出しており、側面バー（５２）に直角の両横バー（５４）に緩衝材（５６）が嵌められた四角フレーム形状の横支持手段（５０）、
２台の車両用キャリア（Ｃ１，Ｃ２）各々の垂直サポート（２０）同士及び水平サポート（３０）同士を横に連結する２個の補強材（２５）、及び、
２台の車両用キャリア（Ｃ１，Ｃ２）各々の貨物マウント（４０）の下面に設けられて固定ストラップ（４３）を嵌めるループ（４２）を含み、
２台の車両用キャリア（Ｃ１，Ｃ２）各々の貨物マウント（４０）に前記貨物スタンド（９２）と間隔をおいて同一構造の第２貨物スタンド（９４）が回転可能に設けられ、
各々のループ（４２）を通して設けられた固定ストラップ（４３）を車両ドアの枠組みを含む車体に固定して引き締めることを特徴とする車両用キャリア装置。
【請求項２】
前記貨物スタンド（９２）と第２貨物スタンド（９４）の間の位置で各々の貨物マウント（４０）に逆Ｌ形状の固定手段（７０）が回転可能に設けられ、該固定手段（７０）の端部にクランプ（７２）が設けられ、前記クランプ（７２）が自転車のフレームやスキーやボードの一側面を噛み合わせて固定することを特徴とする、請求項１に記載の車両用キャリア装置。
【請求項３】
前記車両用キャリア（Ｃ１，Ｃ２）各々の貨物スタンド（９２）の回転連結部の位置で各々の貨物マウントを直角に横切って両貨物マウント（４０）に結合され、貨物スタンド（９２）が直立した状態でこれ以上の回転を防止するストッパーの役割をし、自転車を載置した時に自転車のハンドルを支える直線型のハンドル横バー（６０）をさらに含み、前記ハンドル横バー（６０）に自転車のハンドルを結合するための複数のハンドル固定手段（６２）が設けられることを特徴とする、請求項１に記載の車両用キャリア装置。
【請求項４】
２台の車両用キャリア（Ｃ１，Ｃ２）各々の貨物マウント（４０）の一端部の位置に横に設けられる直線型横バー（８０）をさらに含み、前記直線型横バー（８０）の両側に衝撃吸収材からなる円形ホイール（８２）が回転可能に設けられ、両円形ホイール（８２）の間で前記直線型横バー（８０）に衝撃吸収材からなる２個の緩衝材（８４）が回転可能に設けられ、各々の緩衝材（８４）は、一端部は凹凸面であり、凹凸面の反対側には吸着器（８６）が設けられ、低荷重を支持する時には緩衝材（８４）の凹凸面が車両のルーフに向かい、重い荷重を支持する時には吸着器（８６）が車両のルーフに向かって車両のルーフに吸着されることを特徴とする、請求項１〜３のいずれか１項に記載の車両用キャリア装置。
【請求項５】
前記直線型横バー（８０）の両円形ホイール（８２）外側の両端部に糸巻き形状のガイドワッシャー（９０）が設けられ、前記ガイドワッシャー（９０）に対応する位置に車両のルーフに固定され、ガイドワッシャー（９０）と着脱結合するループ形状のルーフレール（１００）が車両のルーフの両側に設けられ、車両用キャリア装置が設置された状態で車両トランクを開くと、貨物マウント（４０）が車両の前側に前進してガイドワッシャー（９０）がルーフレール（１００）から分離し、円形ホイール（８２）が車両のルーフに乗って転がり運動をし、トランクを閉じると、貨物マウント（４０）が後進してガイドワッシャー（９０）がルーフレール（１００）のループ部分に噛み合わされて車両用キャリア装置が車両に固定されることを特徴とする、請求項４に記載の車両用キャリア装置。
【請求項６】
前記横支持手段（５０）の横バー（５４）の一端部または両端部にＵ形状のスキー／ボードマウント（７４）が設けられ、スキーやボードの下縁部をスキー／ボードマウント（７４）の溝に嵌め、スキーやボードの上縁部を前記固定手段（７０）のクランプ（７２）で固定することを特徴とする、請求項２に記載の車両用キャリア装置。
【請求項７】
前記直線型横バー（８０）に流線型ブレード形状のフラップ（１１０）を設けて車両走行中に空気抵抗を減らすことを特徴とする、請求項４に記載の車両用キャリア装置。
【手続補正２】
【補正対象書類名】明細書
【補正対象項目名】全文
【補正方法】変更
【補正の内容】
【発明の詳細な説明】
【技術分野】
【０００１】
本発明は、車両用キャリア装置に関し、具体的には、従来に比べて、部品数を減らし、様々な機能を付加した車両用キャリア装置に関する。
【背景技術】
【０００２】
最近、自転車やスノーボードやスキーや重い貨物を車両の外部に載せて運ぶための車両用キャリアが多く開発されている。しかし、従来のキャリアは複雑な装置を利用して車両に脱付着しなければならないため、利用者がキャリアを設置し分離する時に多くの時間が必要となり、その過程が複雑であるという問題がある。
【発明の概要】
【発明が解決しようとする課題】
【０００３】
本発明は、従来のこのような問題点を考慮して導き出されたものであり、別途の固定装置がなくても車両のトランクを開け閉めする動作によってキャリアを車両に簡単に固定し分離することができ、車両の急停車、急発進、衝撃、高速走行等がある時にもキャリアを揺れることなく安定するように固定することは勿論、様々な付加機能を備え、且つ、部品数を減らした車両用キャリア装置を提供することを主な目的とする。
【課題を解決するための手段】
【０００４】
このような目的を達成するために、本発明は、２台の車両用キャリア（Ｃ１，Ｃ２）を間隔をあけて並べて配置して結合した車両用キャリア装置であって、
各前記車両用キャリアＣ１，Ｃ２は、車両のトランク裏面に支持される垂直サポート２０、前記垂直サポート２０と固定された角度をなすように連結され、車両のトランク上面に支持される水平サポート３０、前記垂直サポート２０または前記水平サポート３０に回転可能に連結され、Ｕ形状を有し、貨物を支えるための貨物マウント４０、及び、前記垂直サポート２０または前記水平サポート３０に回転可能に連結され、前記貨物マウント４０に対して直角となる位置で固定可能である、貨物を支えるための貨物スタンド９２を備え、
前記車両用キャリア装置は、
２台の車両用キャリアＣ１、Ｃ２各々の貨物マウント４０を直角に横切って各々の貨物マウント４０の下部に結合され、両側面バー５２が貨物マウント４０より上方に突出しており、側面バー５２に直角の両横バー５４に緩衝材５６が嵌められた四角フレーム形状の横支持手段５０、
２台の車両用キャリアＣ１、Ｃ２各々の垂直サポート２０同士及び水平サポート３０同士を横に連結する２個の補強材２５、及び
２台の車両用キャリアＣ１、Ｃ２各々の貨物マウント４０の下面に設けられて固定ストラップ４３を嵌めるループ４２を含み、
各々のループ４２を通して設けられた固定ストラップ４３を車体の適切な位置、例えば、車両ドアの枠組みに固定して引き締めることを特徴とする車両用キャリア装置を提供する。
【０００５】
本発明によれば、２台の車両用キャリアＣ１、Ｃ２各々の貨物マウント４０に前記貨物スタンド９２と間隔をおいて同一構造の第２貨物スタンド９４が回転可能に設けられてもよい。この場合、貨物スタンド９２と第２貨物スタンド９４の間の位置で各々の貨物マウント４０に逆Ｌ形状の固定手段７０が回転可能に設けられ、該固定手段７０の端部にクランプ７２が設けられ、前記クランプが自転車のフレームやスキーやボードの一側面を噛み合わせて固定するようにすることが好ましい。
【０００６】
また、キャリアＣ１、Ｃ２各々の貨物スタンド９２の回転連結部の位置で各々の貨物マウント４０を直角に横切って両貨物マウント４０に結合され、貨物スタンド９２が直立した状態でこれ以上の回転を防止するストッパーの役割をし、自転車を載置した時に自転車のハンドルを支える直線型ハンドル横バー６０をさらに含み、前記ハンドル横バー６０に自転車のハンドルを結合するための複数のハンドル固定手段６２が設けられてもよい。
【０００７】
なお、このように構成された本発明のキャリア装置が２台の車両用キャリアＣ１、Ｃ２各々の貨物マウント４０の一端部の位置に横に設けられる直線型横バー８０をさらに含み、横バー８０の両側に衝撃吸収材からなる円形ホイール８２が回転可能に設けられ、両ホイール８２の間で前記横バー８０に衝撃吸収材からなる２個の緩衝材８４が回転可能に設けられ、各々の緩衝材８４は、一端部は凹凸面であり、凹凸面の反対側には吸着器８６が設けられ、低荷重を支持する時には緩衝材８４の凹凸面が車両のルーフに向かい、重い荷重を支持する時には吸着器８６が車両のルーフに向かって車両のルーフに吸着されるようにしてもよい。この場合、横バーの両ホイール８２外側の両端部に糸巻き形状のガイドワッシャー９０が設けられ、ガイドワッシャー９０に対応する位置に車両のルーフに固定され、ガイドワッシャー９０と着脱結合するループ形状のルーフレール１００が車両のルーフの両側に設けられ、キャリア装置が設置された状態で車両トランクを開くと、貨物マウント４０が車両の前側に前進してガイドワッシャー９０がルーフレール１００から分離し、ホイール８２が車両のルーフに乗って転がり運動をし、トランクを閉じると、貨物マウント４０が後進してガイドワッシャー９０がルーフレール１００のループ部分に噛み合わされてキャリア装置が車両に固定されるようにすることが好ましい。
【０００８】
また、横支持手段５０の横バー５４の一端部または両端部にＵ形状のスキー／ボードマウント７４が設けられ、スキーやボードの下縁部をスキー／ボードマウント７４の溝に嵌め、スキーやボードの上縁部を前記固定手段７０のクランプ７２で固定してもよい。
【０００９】
なお、横バー８０に流線型のブレード形状のフラップ１１０を設けて車両走行中に空気抵抗を減らしてもよい。
【発明の効果】
【００１０】
このように構成された本発明の車両用キャリア装置によれば、いかなる悪条件下にも、例えば、急加減速、スピード防止帯を通過する時の衝撃、車両外部の風等の影響にも複雑な装置なしでキャリアを揺れることなく安定するように固定することができる。
【００１１】
また、様々な方式でキャリア固定装置を構成することができるため、使用者が望むいかなる方式にも車両用キャリアを実現することができる。
【図面の簡単な説明】
【００１２】
【図１】本発明のキャリア装置の一例を車両のトランクに固定した状態を示す後方斜視図である。
【図２】本発明の車両用キャリア装置の第１実施形態の分解斜視図と組み立てられた状態の斜視図である。
【図３】固定ストラップの設置例を示す部分拡大斜視図である。
【図４】第２貨物スタンドを追加した時の応用例を示す斜視図である。
【図５】横バー８０を詳しく示す図であって、図５Ａは横バー８０の拡大斜視図、５Ｂは低荷重支持状態の側面図、５Ｃは中／高荷重支持状態の側面図である。
【図６】本発明の他の実施形態であって、６Ａは組み立て状態の斜視図、６Ｂは横バー８０の拡大斜視図、６Ｃはルーフレールとの着脱結合状態を示す拡大斜視図である。
【図７】本発明のキャリア装置にスキーやボードを設置した状態を示す斜視図である。
【図８】ボードＢを固定する他例を示す斜視図である。
【図９】図９Ａは流線型フラップが設けられた状態の斜視図、図９Ｂは重力方向に揚力を引き起こす原理を示す側面図である。
【発明を実施するための形態】
【００１３】
図１は、本発明のキャリア装置の一例を車両のトランクに固定し、自転車を逆さまに固定した状態を示す後方斜視図である。図示したように、キャリア装置をトランクに設置し、トランクの開閉によってキャリア装置も動くため、自動車のサンルーフを遮らず、サンルーフの作動に影響を与えない。
【００１４】
図２は、本発明の車両用キャリア装置の第１実施形態の分解斜視図と組み立てられた状態の斜視図である。
本実施形態のキャリア装置は２台のキャリアＣ１、Ｃ２を並んで配置して結合した構造である。
【００１５】
キャリアＣ１、Ｃ２の各々は、車両のトランク裏面に支持される垂直サポート２０、垂直サポート２０と固定された角度をなすように連結され、車両のトランク上面に支持される水平サポート３０、垂直サポートや水平サポートに回転可能に連結され、全体的にＵ形状をなし、貨物を支えるための貨物マウント４０、及び垂直サポートや水平サポートに回転可能に連結され、貨物マウント４０に対して直角に固定されて貨物を支える貨物スタンド９２を各々備えている。
【００１６】
図２の実施形態では、２台の車両用キャリアＣ１、Ｃ２各々の貨物マウント４０を直角に横切って各々の貨物マウント４０の下部に横支持手段５０が結合される。このような結合はボルトやネジ等の締結具による。横支持手段５０は全体的に長方形の四角フレームの形態であり、四角フレームの両側面バー５２は貨物マウント４０より上方に突出しており、側面バー５２に直角の両横バー５４に緩衝材５６が嵌められている。上方に突出した両側面バー５２はキャリア装置に積載された貨物が両側面にぬけないように支持する役割をする。また、緩衝材５６はできるだけ横バー５４のエッジに位置した方が良い。このような緩衝材は車両に設置された状態のキャリア装置に載せられた貨物の損傷を防止する役割をする。
【００１７】
また、２台の車両用キャリアＣ１、Ｃ２各々の垂直サポート２０同士及び水平サポート３０同士を２個の補強材２５が横に連結することが好ましい。
【００１８】
なお、２台の車両用キャリアＣ１、Ｃ２各々の貨物マウント４０の下面に一つまたは複数のループ４２を形成し、このループに固定ストラップ４３を連結するかまたは嵌めることができるようにした方が良い。この場合、図３に示すように、各々のループ４２を通して設けられた固定ストラップ４３を車体の適切な位置、例えば、車両ドアの枠組みに固定して引き締めることができるため、キャリア装置を車両に確実で且つ容易に動かないように固定することができる。
【００１９】
勿論、図２に示すように、必要に応じてキャリア装置の他の種々の部分に固定ストラップ４３を連結して車両ドアの枠組みやトランクの隙間に固定することもできる。
【００２０】
必要な場合、２台の車両用キャリアＣ１、Ｃ２各々の貨物マウント４０に貨物スタンド９２と間隔をおいて同一構造の第２貨物スタンド９４を回転可能に設けることができる。
【００２１】
図４は、第２貨物スタンド９４を追加した時の応用例を示す斜視図である。図示したように、貨物スタンド９２と第２貨物スタンド９４を互いに広げられるようにした後、両貨物スタンドに自転車の前輪と後輪を嵌め、後述する固定手段７０のクランプ７２で自転車のフレームを固定すれば、安全に自転車をキャリア装置に設置することができる。
【００２２】
また、貨物スタンド９２と第２貨物スタンド９４の間の位置で各々の貨物マウント４０に逆Ｌ形状の固定手段７０を回転可能に設け、この固定手段７０の端部にクランプ７２を設ける。この場合、図４のように、クランプ７２を用いて自転車を固定するか、後述するようにクランプ７２でスキーやボードの一側面を噛み合わせて固定することができるので便利である。貨物を積載しない時には固定手段７０を横にすれば良い（図１参照）。
【００２３】
図２に示すように、キャリアＣ１、Ｃ２各々の貨物スタンド９２の回転連結部の位置で各々の貨物マウント４０を直角に横切って両貨物マウント４０に直線型ハンドル横バー６０を結合することができる。ハンドル横バー６０は貨物スタンド９２が直立した状態でこれ以上の回転を防止するストッパーの役割をし、自転車を逆さまにした時に自転車のハンドルを支える役割をする。ハンドル横バー６０に自転車のハンドルを結合するための複数のハンドル固定手段６２を設ければ、固定手段６２によって自転車のハンドル部分をしっかり引き締めることができる。
【００２４】
また、２台の車両用キャリアＣ１、Ｃ２各々の貨物マウント４０の一端部の位置に直線型横バー８０を横に設けることができる。
【００２５】
図５は横バー８０を詳しく示す図であって、図５Ａは横バー８０の拡大斜視図、５Ｂは低荷重支持状態の側面図、５Ｃは中／高荷重支持状態の側面図である。
【００２６】
横バー８０の両側に衝撃吸収材からなる円形ホイール８２が回転可能に設けられ、両ホイール８２の間で前記横バー８０に衝撃吸収材からなる２個の緩衝材８４が回転可能に設けられ、各々の緩衝材８４は、一端部は凹凸面であり、凹凸面の反対側には吸着器８６が設けられる。図５Ｂのように、キャリア装置が軽い物を載せている場合、緩衝材８４の凹凸面が車両のルーフに向かうようにする。この場合、物の重さが軽くて緩衝材８４とホイール８２が全て車両のルーフから離れている。図５Ｃのように、キャリア装置が重い物を載せている場合、緩衝材８４を１８０度回転して吸着器８６が車両のルーフに向かうようにすれば、吸着器８４が車両のルーフに吸着され、物をさらに安定して揺れることなく支持することができる。
【００２７】
図６は本発明の他の実施形態であって、６Ａは組み立て状態の斜視図、６Ｂは横バー８０の拡大斜視図、６Ｃはルーフレールとの着脱結合状態を示す拡大斜視図である。
【００２８】
本実施形態では、横バーの両ホイール８２外側の両端部に糸巻き形状のガイドワッシャー９０を設け、ガイドワッシャー９０に対応する位置に車両のルーフに固定され、ガイドワッシャー９０と着脱結合するループ形状のルーフレール１００が車両のルーフの両側に設けられる。この場合、図１のようにキャリア装置が設置された状態で車両トランクを開くと、図６Ｃに実線で表示されたように貨物マウント４０が車両の前側に前進してガイドワッシャー９０がルーフレール１００から分離し、ホイール８２が車両のルーフに乗って転がり運動をする。トランクを閉じると、図６Ｃで破断線で表示されたように、貨物マウント４０が後進してガイドワッシャー９０がルーフレール１００のループ部分に噛み合わされてキャリア装置が車両にしっかり固定される。
【００２９】
図７は、本発明のキャリア装置にスキーやボードを設置した状態を示す斜視図である。前述した前後貨物スタンド９２、９４の外側にボードＢを横に立てて緩衝材５６上に支え、貨物スタンド９２、９４にストラップで固定すれば、簡単にボードＢを設置することができる。
【００３０】
図８は、ボードＢを固定する他例を示す斜視図である。横支持手段５０の横バー５４の一端部または両端部にＵ形状のスキー／ボードマウント７４を設けることができる。この場合、スキーやボードＢの下縁部をスキー／ボードマウント７４の溝に嵌め、スキーやボードの上縁部を固定手段７０のクランプ７２で固定すれば、スキーやボードをさらに簡単に固定することができる。
【００３１】
自動車が高速走行する時、本発明のキャリア装置は多くの空気抵抗を引き起こし、この場合に振動と騒音が発生しうる。これを防止するために、本発明は、空気力学的な流線型抵抗減少手段を用いる。図９はこのような実施形態を示す図であって、図９Ａは流線型抵抗減少手段が設けられた状態の斜視図であり、図９Ｂは抵抗減少手段のみを示す側面図である。
【００３２】
図９に示すように、横バー８０に空気抵抗減少手段として流線型のブレード形状のフラップ１１０を設ける。すなわち、吸着器８６が車両のルーフに吸着された状態で自動車が走行すれば、矢印（Ｄ）方向にフラップ１１０の流線型表面に沿って空気が移動して矢印（Ｐ）方向に下向き圧力が作用するようになり、本発明のキャリア装置に作用する空気抵抗を減らし、且つ、貨物をさらに安全に運ぶことができる。